(57)【要約】【課題】画面輝度の調節が適切に行われる表示装置の画面輝度調節方法を提供する。【解決手段】照度センサ１２が検出する照度から、照度が検出された際に画面１０に表示されていた画像を光源とする画面光Ｂ及び画面１０に表示されていた画像を光源とする光の周囲物からの反射光Ｃを差し引き、その差し引きにより求められた周囲光Ａの照度に基づいて、画面１０の輝度を調節する。【選択図】図４
2010113301.tif 000002
【特許請求の範囲】
【請求項１】
画像を表示する画面と、
周囲の照度を検出する照度センサとが備えられた表示装置の画面輝度調節方法であって、
前記画面に画像が表示されていない状態、及び、前記画面に画像が表示されている状態で、前記照度センサが照度を検出し、
前記画面に画像が表示されていない状態で前記照度センサが検出した照度と、前記画面に画像が表示された状態で前記照度センサが検出した照度との差から、
前記照度センサが検出した照度のなかで、画面に表示された画像を光源とする照度を求め、
前記照度センサが照度を検出した際に表示されていた画像の明るさデータと、前記画面に表示された画像を光源とする照度との相関を求め、
実表示時において、前記照度センサが検出する周囲の照度から、前記相関に基づいて求められる、当該照度が検出された際に画面に表示されていた画像を光源とする照度を差し引き、
前記差し引きにより求められた明るさに基づいて、前記画面の輝度を調節することを特徴とする表示装置の画面輝度調節方法。
【請求項２】
画像を表示する画面と、前記画面を背面から照射するバックライトと、
周囲の照度を検出する照度センサとが備えられた表示装置の画面輝度調節方法であって、
前記バックライトが点灯されていない状態、及び、前記バックライトが点灯されている状態で、前記照度センサが照度を検出し、
前記バックライトが点灯されていない状態で前記照度センサが検出した照度と、前記バックライトが点灯された状態で前記照度センサが検出した照度との差から、
前記照度センサが検出した照度のなかで、前記バックライトを光源とする照度を求め、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に点灯されていたバックライトを光源とする照度を差し引き、
前記差し引きにより求められた明るさに基づいて、前記画面の輝度を調節することを特徴とする表示装置の画面輝度調節方法。
【請求項３】
画像を表示する画面と、前記画面を背面から照射するバックライトと、
周囲の照度を検出する照度センサとが備えられた表示装置の画面輝度調節方法であって、
明るさデータの異なる画像が画面に表示されている状態、又は、設定輝度の異なるバックライトが点灯されている状態で、前記照度センサが異なる前記状態において複数回、照度を検出し、
検出された複数の照度に基づいて、
前記照度センサが検出した照度のなかで、画面に表示された画像を光源とする照度と、
前記照度センサが検出した照度のなかで、前記バックライトを光源とする照度を求め、
前記照度センサが照度を検出した際に表示されていた画像の明るさデータと、前記画面に表示された画像を光源とする照度との相関及び、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に画面に表示されていた画像を光源とする照度、及び、点灯されていたバックライトを光源とする照度を差し引き、
前記差し引きにより求められた明るさに基づいて、前記画面の輝度を調節することを特徴とする表示装置の画面輝度調節方法。
【請求項４】
前記画像の明るさデータが、画像信号の階調データであることを特徴とする請求項１又は３に記載の表示装置の画面輝度調節方法。
【請求項５】
前記バックライトの設定輝度が、バックライトに対するインバータ出力値により表されていることを特徴とする請求項２又は３に記載の表示装置の画面輝度調節方法。
【請求項６】
前記相関を求める処理が、前記表示装置の電源投入時に行われることを特徴とする請求項１から５のいずれか１項に記載の表示装置の画面輝度調節方法。
【請求項７】
前記相関を求める処理が、前記表示装置の実表示時に行われることを特徴とする請求項１から６のいずれか１項に記載の表示装置の画面輝度調節方法。
【請求項８】
画像を表示する画面と、
周囲の照度を検出する照度センサとが備えられた表示装置であって、
前記画面に画像が表示されていない状態で、前記照度センサが検出した照度と、
前記画面に画像が表示された状態で、前記照度センサが検出した照度との差から、
前記照度センサが検出した照度のなかで、画面に表示された画像を光源とする照度を求めると共に、
前記照度センサが照度を検出した際に表示されていた画像の明るさデータと、前記画面に表示された画像を光源とする照度との相関を求め、
実表示時において、前記照度センサが検出する周囲の照度から、前記相関に基づいて求められる、当該照度が検出された際に画面に表示されていた画像を光源とする照度を差し引き、
前記差し引きにより求められた明るさに基づいて、前記画面の輝度を調節する画面輝度調節部が設けられていることを特徴とする表示装置。
【請求項９】
画像を表示する画面と、前記画面を背面から照射するバックライトと、
周囲の明るさを検出する照度センサとが備えられた表示装置であって、
前記バックライトが点灯されていない状態で、前記照度センサが検出した明るさと、
前記バックライトが点灯された状態で、前記照度センサが検出した明るさとの差から
前記照度センサが検出した明るさのなかで、前記バックライトを光源とする照度を求めると共に、
前記照度センサが明るさを検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に点灯されていたバックライトを光源とする照度を差し引き、
前記差し引きにより求められた明るさに基づいて、前記画面の輝度を調節する画面輝度調節部が設けられていることを特徴とする表示装置。
【請求項１０】
画像を表示する画面と、前記画面を背面から照射するバックライトと、
周囲の明るさを検出する照度センサとが備えられた表示装置であって、
明るさデータの異なる画像が画面に表示されている状態、又は、設定輝度の異なるバックライトが点灯されている状態で、前記照度センサが異なる前記状態において複数回検出した照度に基づいて、
前記照度センサが検出した照度のなかで、画面に表示された画像を光源とする照度と、
前記照度センサが検出した照度のなかで、前記バックライトを光源とする照度を求め、
前記照度センサが照度を検出した際に表示されていた画像の明るさデータと、前記画面に表示された画像を光源とする照度との相関及び、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に画面に表示されていた画像を光源とする照度、及び、点灯されていたバックライトを光源とする照度を差し引き、
前記差し引きにより求められた明るさに基づいて、前記画面の輝度を調節する画面輝度調節部が設けられていることを特徴とする表示装置。
【請求項１１】
前記画像の明るさデータが、画像信号の階調データであることを特徴とする請求項８又は１０に記載の表示装置。
【請求項１２】
前記バックライトの設定輝度が、バックライトに対するインバータ出力値により表されていることを特徴とする請求項９又は１０に記載の表示装置。
【請求項１３】
請求項８から１２のいずれか１項に記載された表示装置が備えられていることを特徴とするテレビ受信装置。
【発明の詳細な説明】
【技術分野】
【０００１】
本発明は、画像を表示する表示装置、当該表示装置とチューナーなどのテレビ受信に必要な装置とが備えられたテレビ受信装置、及び、前記表示装置の画面輝度調節方法に関するものである。
【背景技術】
【０００２】
従来から、液晶表示装置など、画像を表示する表示装置が広く使われている。
【０００３】
そして、表示装置の画面に表示される画像を見やすくするために、画面の明るさを、表示装置の周囲の照度に応じて調節することが行われている。
【０００４】
例えば、下記特許文献１には、液晶表示パネルの周囲の外光照度を測定して、バックライトの輝度を制御することが記載されている。そして、外光照度に応じて照度測定期間を変化させることが記載されている。
【０００５】
また、下記特許文献２には、液晶パネルの周囲の明るさを検出するセンサからの明るさ情報に基づき、液晶パネルの一対の電極間の電圧を変化させて液晶パネルの輝度を補正することが記載されている。
【特許文献１】特開２００７−１７９０００号公報（公開日：２００７（平成１９）年７月１２日）
【特許文献２】特開２００６−７８７３６号公報（公開日：２００６（平成１８年）年３月２３日）
【発明の開示】
【発明が解決しようとする課題】
【０００６】
しかしながら、前記従来の表示装置は、画面の明るさ（以下、画面輝度とも表す）の調節が適切ではないという問題を有している。
【０００７】
一般的に表示装置の画面の明るさは、例えば表示装置の周囲が明るい場合には画面を明るくし、表示装置の周囲が暗い場合には画面を暗くするなどして、画面の観者が画面を見やすくなるように調節される。そして、前記表示装置の周囲の明るさによる画面輝度の調節は、表示装置が使用されている間、一定期間を空けるなどして、繰り返して行われる場合が多い。しかし、前記画面の明るさが調節されることにより、かえって観者が画面を見にくくなる場合がある。
【０００８】
具体的には、例えば、暗い画像の多い映画などを表示する際に、画面が暗くなりすぎる場合がある（画面輝度の低下）。
【０００９】
また、例えば、画面に表示される画像が切り替わるたびに画面の明るさが頻繁に変化する場合がある（画面輝度の頻繁な変化）。
【００１０】
以上のように、従来の表示装置では、表示装置の周囲の照度に基づいて、表示装置の画面の明るさが調節されていたものの、その調節された後の画面は、必ずしも、表示装置の観者に対して適切なものではなかった。
【００１１】
（画面輝度調節の仕組み）
そこで、本願発明者は、従来の表示装置において画面の明るさの調節が適切なものではなかった理由を検討した結果、表示装置の画面から発せられた光（自画面からの光）の影響により、前記調節が適切ではなくなっていることを見出した。
【００１２】
すなわち、従来の表示装置では、その周囲の照度を測定するために表示装置に設けられている照度センサが、表示装置の周囲の照度を測定する際、表示装置の周囲の光のみならず、表示装置の画面から発せられた光も検出していた。
【００１３】
具体的には、例えば、表示装置が設置された部屋に備えられた照明装置などからの発せられた光や部屋の外から射し込む外光（合わせて、以下、周囲光）に起因する、部屋自身の照度（以下、環境照度）と、当該部屋に設置された表示装置の画面から発せられた光（以下、画面光）に起因する、表示装置からの照度（以下、画面照度）との総和（以下、総和照度）が、前記照度センサで検出されていた。
【００１４】
そして、前記総和照度に応じて、前記画面輝度が調節されていた。
【００１５】
（画面輝度の低下）
そのため、例えば、暗い画像が多い映画などを表示する際に、部屋の照明を落とすなどして前記周囲光を弱めた場合、環境照度が低下する。そして、環境照度の低下により総和照度も低下し、その総和照度の低下に連動して、表示装置は、その画面輝度が低下するように調節される。
【００１６】
ここで、前記照度センサが検出する明るさには、前記の通り環境照度のみならず画面照度も含まれる。そして、前記画面照度は、画面輝度に連動する。すなわち、画面輝度が高くなると画面照度も高くなり、同様に、画面輝度が低くなると画面照度も低くなる。
【００１７】
そのため、前記のように環境照度・総和照度の低下に連動して画面輝度が低下すると、画面照度も低下する。そして、前記画面照度の低下により総和照度が低下するので、表示装置は、その画面輝度がより低くなるように調節される。
【００１８】
すなわち、部屋の照明を暗くすること（環境照度の低下）により、「総和照度の低下→画面輝度の低下→画面照度の低下→総和照度の低下→画面輝度の低下・・・」が繰り返され、画面輝度が暗くなりすぎることがあった。
【００１９】
（画面輝度の頻繁な変化）
また、前記の通り、画面輝度が総和照度に連動して調節されるので、前記画面輝度は、画面に表示される画像（以下、表示画像）の内容によって変動する。
【００２０】
そのため、前記画像の変化、特には、画像の明るさの変化に応じて画面輝度が調節される。
【００２１】
そのため、表示装置の観者は、不安定で落ち着きのない画像を見ることを強いられる場合があった。
【００２２】
そこで、本発明は、前記の問題を解決するためになされたものであり、その目的は、画面輝度の調節が適切に行われる表示装置、テレビ受信装置、及び、表示装置の画面輝度調節方法を提供することにある。
【課題を解決するための手段】
【００２３】
本発明の表示装置の画面輝度調節方法は、前記課題を解決するために、
画像を表示する画面と、
周囲の照度を検出する照度センサとが備えられた表示装置の画面輝度調節方法であって、
前記画面に画像が表示されていない状態、及び、前記画面に画像が表示されている状態で、前記照度センサが照度を検出し、
前記画面に画像が表示されていない状態で前記照度センサが検出した照度と、前記画面に画像が表示された状態で前記照度センサが検出した照度との差から、
前記照度センサが検出した照度のなかで、画面に表示された画像を光源とする照度を求め、
前記照度センサが照度を検出した際に表示されていた画像の明るさデータと、前記画面に表示された画像を光源とする照度との相関を求め、
実表示時において、前記照度センサが検出する周囲の照度から、前記相関に基づいて求められる、当該照度が検出された際に画面に表示されていた画像を光源とする照度を差し引き、
前記差し引きにより求められた明るさに基づいて、前記画面の輝度を調節することを特徴としている。
【００２４】
また、本発明の表示装置は、前記課題を解決するために、
画像を表示する画面と、
周囲の照度を検出する照度センサとが備えられた表示装置であって、
前記画面に画像が表示されていない状態で、前記照度センサが検出した照度と、
前記画面に画像が表示された状態で、前記照度センサが検出した照度との差から、
前記照度センサが検出した照度のなかで、画面に表示された画像を光源とする照度を求めると共に、
前記照度センサが照度を検出した際に表示されていた画像の明るさデータと、前記画面に表示された画像を光源とする照度との相関を求め、
実表示時において、前記照度センサが検出する周囲の照度から、前記相関に基づいて求められる、当該照度が検出された際に画面に表示されていた画像を光源とする照度を差し引き、
前記差し引きにより求められた明るさに基づいて、前記画面の輝度を調節する画面輝度調節部が設けられていることを特徴としている。
【００２５】
前記の方法及び構成によれば、画面輝度の調節が自画面からの光の影響を取り除いた周囲照度に基づいて行われる。そのため、表示装置の観者が画面を見やすいような画面輝度の調節を行うことが可能である。
【００２６】
すなわち、前記の方法及び構成によれば、まず、表示装置に備えられた照度センサが検出する照度のなかの、自画面からの光の影響の一例である、画面に表示された画像を光源とする照度と、当該画像の有する明るさデータとの相関が求められる。なお、この相関は、前記照度を、明るさの異なる画像が表示されている際（画像が表示されていない状態を含む）に測定することにより求められる。
【００２７】
そのため、前記相関に基づいて、実表示時において、表示されている画像を光源とする照度を求めることができる。
【００２８】
したがって、照度センサで検出された照度から、前記画像を光源とする照度を差し引くことで、前記自画面からの光の影響を取り除いた周囲照度を求めることができる。
【００２９】
そのため、前記周囲照度に基づく画面輝度の調節が可能となる。よって、自画面からの光の影響を受けた画面輝度調節が行われるために生じる、前記画面輝度の低下や前記画面輝度の頻繁な変化などが生じにくい。
【００３０】
以上より、前記方法、及び、構成によれば、画面輝度の調節が適切に行われる表示装置の画面輝度調節方法、及び、表示装置を提供することができる。
【００３１】
また、本発明の表示装置の画面輝度調節方法は、前記課題を解決するために、
画像を表示する画面と、前記画面を背面から照射するバックライトと、
周囲の照度を検出する照度センサとが備えられた表示装置の画面輝度調節方法であって、
前記バックライトが点灯されていない状態、及び、前記バックライトが点灯されている状態で、前記照度センサが照度を検出し、
前記バックライトが点灯されていない状態で前記照度センサが検出した照度と、前記バックライトが点灯された状態で前記照度センサが検出した照度との差から、
前記照度センサが検出した照度のなかで、前記バックライトを光源とする照度を求め、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に点灯されていたバックライトを光源とする照度を差し引き、
前記差し引きにより求められた明るさに基づいて、前記画面の輝度を調節することを特徴とする。
【００３２】
また、本発明の表示装置は、前記課題を解決するために、
画像を表示する画面と、前記画面を背面から照射するバックライトと、
周囲の明るさを検出する照度センサとが備えられた表示装置であって、
前記バックライトが点灯されていない状態で、前記照度センサが検出した明るさと、
前記バックライトが点灯された状態で、前記照度センサが検出した明るさとの差から、
前記照度センサが検出した明るさのなかで、前記バックライトを光源とする照度を求めると共に、
前記照度センサが明るさを検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に点灯されていたバックライトを光源とする照度を差し引き、
前記差し引きにより求められた明るさに基づいて、前記画面の輝度を調節する画面輝度調節部が設けられていることを特徴とする。
【００３３】
前記の方法及び構成によれば、画面輝度の調節が自画面からの光の影響を取り除いた周囲照度に基づいて行われる。そのため、表示装置の観者が画面を見やすいような画面輝度の調節を行うことが可能である。
【００３４】
すなわち、前記の方法及び構成によれば、まず、表示装置に備えられた照度センサが検出する照度のなかの、自画面からの光の影響の一例である、バックライトを光源とする照度と、当該バックライトの設定輝度との相関が求められる。なお、この相関は、前記照度を、設定輝度の異なるバックライトが点灯されている際（バックライトが点灯されていない状態を含む）に測定することにより求められる。
【００３５】
そのため、前記相関に基づいて、実表示時において、点灯されているバックライトを光源とする照度を求めることができる。
【００３６】
したがって、照度センサで検出された照度から、前記バックライトを光源とする照度を差し引くことで、前記自画面からの光の影響を取り除いた周囲照度を求めることができる。
【００３７】
そのため、前記周囲照度に基づく画面輝度の調節が可能となる。
【００３８】
以上より、前記方法、及び、構成によれば、画面輝度の調節が適切に行われる表示装置の画面輝度調節方法、及び、表示装置を提供することができる。
【００３９】
また、本発明の表示装置の画面輝度調節方法は、前記課題を解決するために、
画像を表示する画面と、前記画面を背面から照射するバックライトと、
周囲の照度を検出する照度センサとが備えられた表示装置の画面輝度調節方法であって、
明るさデータの異なる画像が画面に表示されている状態、又は、設定輝度の異なるバックライトが点灯されている状態で、前記照度センサが異なる前記状態において複数回、照度を検出し、
検出された複数の照度に基づいて、
前記照度センサが検出した照度のなかで、画面に表示された画像を光源とする照度と、
前記照度センサが検出した照度のなかで、前記バックライトを光源とする照度を求め、
前記照度センサが照度を検出した際に表示されていた画像の明るさデータと、前記画面に表示された画像を光源とする照度との相関及び、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に画面に表示されていた画像を光源とする照度、及び、点灯されていたバックライトを光源とする照度を差し引き、
前記差し引きにより求められた明るさに基づいて、前記画面の輝度を調節することを特徴とする。
【００４０】
また、本発明の表示装置は、前記課題を解決するために、
画像を表示する画面と、前記画面を背面から照射するバックライトと、
周囲の明るさを検出する照度センサとが備えられた表示装置であって、
明るさデータの異なる画像が画面に表示されている状態、又は、設定輝度の異なるバックライトが点灯されている状態で、前記照度センサが異なる前記状態において複数回検出した照度に基づいて、
前記照度センサが検出した照度のなかで、画面に表示された画像を光源とする照度と、
前記照度センサが検出した照度のなかで、前記バックライトを光源とする照度を求め、
前記照度センサが照度を検出した際に表示されていた画像の明るさデータと、前記画面に表示された画像を光源とする照度との相関及び、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に画面に表示されていた画像を光源とする照度、及び、点灯されていたバックライトを光源とする照度を差し引き、
前記差し引きにより求められた明るさに基づいて、前記画面の輝度を調節する画面輝度調節部が設けられていることを特徴とする。
【００４１】
前記の方法及び構成によれば、前記説明と同様に、自画面からの光の影響の一例である、画面に表示された画像を光源とする照度及びバックライトを光源とする照度と、画像の有する明るさデータ又はバックライトの設定輝度との相関が求められる。
【００４２】
そのため、前記相関に基づいて、実表示時において、前記自画面からの光の影響を取り除いた周囲照度を求めることができる。
【００４３】
そのため、前記周囲照度に基づく画面輝度の調節が可能となる。
【００４４】
以上より、前記方法、及び、構成によれば、画面輝度の調節が適切に行われる表示装置の画面輝度調節方法、及び、表示装置を提供することができる。
【００４５】
また、本発明の表示装置の画面輝度調節方法、及び、表示装置は、
前記画像の明るさデータが、画像信号の階調データであることを特徴とする。
【００４６】
また、本発明の表示装置の画面輝度調節方法、及び、表示装置は、
前記バックライトの設定輝度が、バックライトに対するインバータ出力値により表されていることを特徴とする。
【００４７】
前記の方法及び構成によれば、画像の明るさデータが画像信号の階調データであり、また、バックライトの設定輝度がバックライトに対するインバータ出力値で表されている。
【００４８】
そのため、画面に表示された画像を光源とする照度や、バックライトを光源とする照度を正確に求めることができると共に、画面輝度の調節にあたり、特別のパラメーターを作成する必要がない。
【００４９】
また、本発明の表示装置の画面輝度調節方法は、
前記相関を求める処理が、前記表示装置の電源投入時に行われることを特徴とする。
【００５０】
前記の方法によれば、実表示中に、画面に画像が表示されていない状態や、バックライトが点灯されていない状態を設ける必要がない。
【００５１】
そのため、表示装置の観者は、より自然な表示が行われている画面を見ることができる。
【００５２】
また、本発明の表示装置の画面輝度調節方法は、
前記相関を求める処理が、前記表示装置の実表示時に行われることを特徴とする。
【００５３】
前記の方法によれば、画面輝度の調節が必要となる実表示時に、画面に画像が表示されていない状態や、バックライトが点灯されていない状態を設け、自画面からの光の影響を取り除いた周囲照度を求めることができる。そのため、より正確な周囲照度をより容易に求めることができる。
【００５４】
本発明のテレビ受信装置には、前記表示装置が備えられている。
【００５５】
そのため、テレビ受信装置の観者は、適切な輝度調節が行われた画面をみることができる。
【発明の効果】
【００５６】
本発明の表示装置の画面輝度調節方法は、以上のように、
前期画面に画像が表示されていない状態、及び、前記画面に画像が表示されている状態で、照度センサが照度を検出し、
前記画面に画像が表示されていない状態で前記照度センサが検出した照度と、前記画面に画像が表示された状態で前記照度センサが検出した照度との差から、
前記照度センサが検出した照度のなかで、画面に表示された画像を光源とする照度を求め、
前記照度センサが照度を検出した際に表示されていた画像の明るさデータと、前記画面に表示された画像を光源とする照度との相関を求め、
実表示時において、前記照度センサが検出する周囲の照度から、前記相関に基づいて求められる、当該照度が検出された際に画面に表示されていた画像を光源とする照度を差し引き、
前記差し引きにより求められた明るさに基づいて、前記画面の輝度を調節することを特徴とする方法である。
【００５７】
また、本発明の表示装置の画面輝度調節方法は、以上のように、
前記バックライトが点灯されていない状態、及び、前記バックライトが点灯されている状態で、前記照度センサが照度を検出し、
前記バックライトが点灯されていない状態で前記照度センサが検出した照度と、前記バックライトが点灯された状態で前記照度センサが検出した照度との差から、
前記照度センサが検出した照度のなかで、前記バックライトを光源とする照度を求め、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に点灯されていたバックライトを光源とする照度を差し引き、
前記差し引きにより求められた明るさに基づいて、前記画面の輝度を調節することを特徴とする方法である。
【００５８】
また、本発明の表示装置の画面輝度調節方法は、以上のように、
明るさデータの異なる画像が画面に表示されている状態、又は、設定輝度の異なるバックライトが点灯されている状態で、前記照度センサが異なる前記状態において複数回、照度を検出し、
検出された複数の照度に基づいて、
前記照度センサが検出した照度のなかで、画面に表示された画像を光源とする照度と、
前記照度センサが検出した照度のなかで、前記バックライトを光源とする照度を求め、
前記照度センサが照度を検出した際に表示されていた画像の明るさデータと、前記画面に表示された画像を光源とする照度との相関及び、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に画面に表示されていた画像を光源とする照度、及び、点灯されていたバックライトを光源とする照度を差し引き、
前記差し引きにより求められた明るさに基づいて、前記画面の輝度を調節することを特徴とする方法である。
【００５９】
また、本発明の表示装置、以上のように、
画面に画像が表示されていない状態で、照度センサが検出した照度と、
前記画面に画像が表示された状態で、前記照度センサが検出した照度との差から、
前記照度センサが検出した照度のなかで、画面に表示された画像を光源とする照度を求めると共に、
前記照度センサが照度を検出した際に表示されていた画像の明るさデータと、前記画面に表示された画像を光源とする照度との相関を求め、
実表示時において、前記照度センサが検出する周囲の照度から、前記相関に基づいて求められる、当該照度が検出された際に画面に表示されていた画像を光源とする照度を差し引き、
前記差し引きにより求められた明るさに基づいて、前記画面の輝度を調節する画面輝度調節部が設けられているものである。
【００６０】
また、本発明の表示装置、以上のように、
前記バックライトが点灯されていない状態で、前記照度センサが検出した明るさと、
前記バックライトが点灯された状態で、前記照度センサが検出した明るさとの差から、
前記照度センサが検出した明るさのなかで、前記バックライトを光源とする照度を求めると共に、
前記照度センサが明るさを検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に点灯されていたバックライトを光源とする照度を差し引き、
前記差し引きにより求められた明るさに基づいて、前記画面の輝度を調節する画面輝度調節部が設けられているものである。
【００６１】
また、本発明の表示装置、以上のように、
明るさデータの異なる画像が画面に表示されている状態、又は、設定輝度の異なるバックライトが点灯されている状態で、前記照度センサが異なる前記状態において複数回検出した照度に基づいて、
前記照度センサが検出した照度のなかで、画面に表示された画像を光源とする照度と、
前記照度センサが検出した照度のなかで、前記バックライトを光源とする照度を求め、
前記照度センサが照度を検出した際に表示されていた画像の明るさデータと、前記画面に表示された画像を光源とする照度との相関及び、
前記照度センサが照度を検出した際に点灯されていたバックライトの設定輝度と、前記バックライトを光源とする照度との相関を求め、
実表示時において、前記照度センサが検出する周囲の照度から、前記相関に基づいて求められる、当該照度が検出された際に画面に表示されていた画像を光源とする照度、及び、点灯されていたバックライトを光源とする照度を差し引き、
前記差し引きにより求められた明るさに基づいて、前記画面の輝度を調節する画面輝度調節部が設けられているものである。
【００６２】
そのため、本発明は、画面輝度の調節が適切に行われる表示装置、及び、表示装置の画面輝度調節方法を提供することができるという効果を奏する。
【発明を実施するための最良の形態】
【００６３】
〔実施の形態１〕
本発明の一実施の形態について図に基づいて説明すると以下の通りである。
【００６４】
（概略構成）
図１は、本実施の形態のテレビ受信装置の概略構成を示す図である。前記図１に示すように、本実施の形態のテレビ受信装置１には、表示装置としての液晶表示装置５が備えられている。
【００６５】
そして、前記液晶表示装置５には、バックライト７が備えられている。また、前記液晶表示装置５には、前記バックライト７のほかに、照度センサ１２、メモリ１４、補正演算部１６、及び、メイン基板１８などが備えられている。
【００６６】
また、前記バックライト７には、光源２０、バックライト制御部２２、及び、インバータ２４などが備えられている。
【００６７】
そして、本実施の形態の液晶表示装置５は、その観者が画面を見やすくなるように、画面輝度の調節が可能なように構成されている。具体的には、例えば、液晶表示装置５の周囲が暗い場合には画面を暗くしたり、逆に前記周囲が明るい場合には画面を明るくしたりすることで、画像をより鮮明に見せたり、観者の目の疲れを和らげたりする。
【００６８】
そして、この画面輝度の調節が、前記前記バックライト７、照度センサ１２、メモリ１４、補正演算部１６、及び、メイン基板１８などを主な構成要素とする画面輝度調節部２６で行われる。
【００６９】
また、前記テレビ受信装置１には、前記液晶表示装置５のほかに、テレビを受信し、前記テレビ受信装置１の観者に対して受信した内容を視聴可能とするための部品が備えられている。具体的には、前記テレビ受信装置１には、スピーカー３０、電源回路３２、及び、チューナー３４などが備えられている。
【００７０】
（総和照度）
つぎに、前記各部の機能を説明するまえに、各光と各照度との関係について説明する。
【００７１】
本実施の形態のテレビ受信装置１に備えられている照度センサ１２は、前記テレビ受信装置１の周りの照度を測定する。
【００７２】
具体的には、前記テレビ受信装置１の周りの照度には、例えば前記テレビ受信装置１が設置された部屋の照度など、テレビ受信装置１の設置環境の照度である環境照度と、テレビ受信装置１の画面からの出射光を光源とする、表示装置からの照度である画面照度とが含まれる。
【００７３】
詳しくは、前記環境照度は、テレビ受信装置１が設置された部屋に備えられた照明装置などからの発せられた光や部屋の外から射し込む外光に起因する照度を意味する。すなわち、周囲光による照度が環境照度となる。
【００７４】
一方、前記画面照度は、テレビ受信装置１の画面１０から発せられた光に起因する照度を意味する。すなわち、画面光による照度が画面照度となる。
【００７５】
そして、前記テレビ受信装置１の周りの照度には、前記環境照度と前記画面照度とが含まれ、前記環境照度と画面照度との和が、総和照度として、前記照度センサ１２で検出される。
【００７６】
（画像データと総和照度）
図２及び図３に、前記の関係を図示する。ここで、前記図２及び図３はいずれも、画像データの明るさ（画像の明るさデータ）と照度センサの検出値との関係を示す図である。詳しくは、前記図２は、環境照度が一定である場合を示しており、他方前記図３は、環境照度が一定でない場合を示している。そして、前記図２及び図３では、いずれも、横軸が画像データの明るさを示し、縦軸が照度センサの検出値、すなわち、前記総和照度を示している。
【００７７】
前記図２に示すように、照度センサの検出値である総和照度は、周囲光による環境照度（図２に示すｂ）と、画面光による画面照度（図２に示すａ）との和になる。そして、図２に示すように、環境照度が一定である場合には、前記総和照度は、画像データの明るさの増減による画面照度の増減に応じて増減する（図２に示すａ１及びａ２参照）。
【００７８】
他方、前記環境照度が一定でない場合には、総和照度の変化は、環境照度の変化（図３に示すｂ１及びｂ２参照）と、画面照度の変化（図３に示すａ１及びａ２参照）との両方に依存する。
【００７９】
そして、本テレビ受信装置１は、後に説明するように、照度センサの検出値である総和照度のなかから環境照度を求め、その値に基づいて画面の明るさである画面輝度を調節するものである。そのため、環境照度を求める必要がある。
【００８０】
以下、前記環境照度を求める方法の一例について説明する。
【００８１】
まず最初に、画面を、例えば全黒などの暗い画面から、全白などの明るい画面まで変化させる。そして、その変化の間、環境照度を一定に保って、総和照度を検出する。
【００８２】
すなわち、前記図２に示したように、環境照度が一定の状態で、暗い画像データから明るい画像データに至るまでの総和照度を検出する。これにより、例えば、画像データの明るさが１である場合の画面照度（図２のａ１）や、画像データの明るさが２である場合の画面照度（図２のａ２）を求めることができる。これは、画像データの明るさが各々の場合の総和照度から、一定値である環境照度を引けば、各々の画面照度を求めることができるためである。
【００８３】
なお、前記一定値である環境照度は、画像データの明るさが零の際の環境照度から求めることができる。
【００８４】
そして、前記ようにして求めた前記画像データの明るさと、画面照度との相関に基づいて、通常動作時における環境照度を求める。すなわち、環境照度が随時変化する状況における、その時々の環境照度を求める。
【００８５】
以下、前記図３に基づいて説明する。すなわち、総和照度を検出する際、そのときに表示される画像データの明るさがわかれば、先に求めた画像データの明るさと画面照度との相関に基づいて、画面照度を求めることができる。そして、かかる画面照度をそのときの総和照度から引くことにより、そのときの環境照度を求めることができる。
【００８６】
具体的には、前記図３に示すように、画像データの明るさが１であるときに、総和照度がｍと検出されたとする。この場合、画像データの明るさが１であるときの画面照度ａ１（図３におけるｍ〜ｎ）を、総和照度ｍから引くことにより、環境照度ｂ１（図３におけるｎ）を求めることができる。
【００８７】
また、別のとき、画像データの明るさが２であるときに、総和照度がｊと検出されたとする。この場合、画像データの明るさが２であるときの画面照度ａ２（図３におけるｊ〜ｋ）を、総和照度ｊら引くことにより、環境照度ｂ２（図３におけるｋ）を求めることができる。
【００８８】
以上のように、通常動作時において、環境照度が随時変化しても、その時々における環境照度を求めることができる。
【００８９】
（装置との関係）
以上のようにして求められた環境照度に基づいて、テレビ受信装置１の画面輝度が調節される。
【００９０】
以下、その概略を、前記図１に基づいて説明する。
【００９１】
まず、テレビ受信装置１に備えられたメモリ１４に、照度センサ１２が検出した総和照度（Ｓ）が入力される。また、前記メモリ１４には、合わせて、画像データの明るさを示す信号（Ｄ１０）が入力される。さらに、前記メモリ１４には、バックライト輝度を示す信号（Ｄ１２）が入力される場合もあるが、これについては、後に説明する。
【００９２】
そして、前記メモリ１４に記憶された前記各値は、補正演算部１６に入力される。この補正演算部１６では、前記の通り、環境照度（Ｓｒｅａｌ）が求め求められ、その値が、テレビ受信装置１の前記メイン基板１８に出力される。
【００９３】
そして、入力された環境照度に応じて適切にバックライト７の輝度を調節すべく、前記メイン基板１８から前記バックライト制御部２２に、バックライト制御信号（Ｄ２０）が出力される。
【００９４】
そして、インバータ２４を介して、前記光源２０の輝度が調節されることによりバックライト輝度が調節される。
【００９５】
これにより、環境照度に基づいた、画面輝度の調節が行われる。
【００９６】
以下、前記画面輝度の調節について、より具体的に説明する。
【００９７】
〔実施の形態２〕
本発明の第２の実施の形態について図に基づいて説明すれば、以下の通りである。なお、本実施の形態において説明すること以外の構成は、前記実施の形態１と同じである。また、説明の便宜上、前記の実施の形態１の図面に示した部材と同じ機能を有する部材については、同じ符号を付し、その説明を省略する。
【００９８】
本実施の形態では、特に表示している画像が暗い場合に、画面が暗くなりにくいような画面輝度の調節が可能なテレビ受信装置について説明する。
【００９９】
（テレビ受信装置の設置状況）
まず、テレビ受信装置１が設置されている状況、及び、関係する光について図４に基づいて説明する。図４は、テレビ受信装置１が設置されている状況を示す図である。
【０１００】
図４に示すように、テレビ受信装置１は、通常、照明装置５０が備えられた部屋などに設置され、当該部屋の床面６０や壁などは、光を反射する。
【０１０１】
そのため、テレビ受信装置１に関係する光としては、前記照明装置５０から発せられた光である周囲光Ａと、テレビ受信装置１の画面１０から発せられた光である画面光Ｂと、例えば前記画面光Ｂが床面６０などで乱反射した反射光Ｃがある。
【０１０２】
ここで、画面輝度の調節を、テレビ受信装置１が設置されている環境の明るさに基づいて適切に行うためには、テレビ受信装置１に設けられている照度センサ１２は、前記周囲光Ａを検出・測定する必要がある。
【０１０３】
しかしながら、先にも説明した通り、前記照度センサ１２は、前記周囲光Ａのみならず、前記画面光Ｂや前記反射光Ｃをも検出・測定する場合が多い。
【０１０４】
（画面輝度の調節フロー）
そこで、本実施の形態のテレビ受信装置１では、以下に、図５に基づいて説明するフローに基づいて、画面輝度を適切に調節することが可能である。ここで図５は、画面輝度の調節の方法を示すフロー図である。
【０１０５】
前記図５に示すように、前記フローに含まれるステップ（Ｓｔ）は、大きく２個のグループに分けることができる。
【０１０６】
すなわち、第１のグループ（図５に示すＳｔＡ参照）は、画像データの明るさが変化したときに照度センサ１２の検出値（総和照度）を測定して、自光（画面光）に起因する画面照度と総和照度との関係を求めることに関するステップ（ＳｔＡ１からＳｔＡ６）のグループである。
【０１０７】
そして、第２のグループ（図５に示すＳｔＢ参照）は、前記第１のグループで求めた、画像データの明るさと、照度センサ１２の検出値（総和照度）との関係に基づいて、随時、その時の画面データの明るさに応じて、総和照度から対応する画面照度を差し引いて、環境照度を求めることに関するステップ（ＳｔＢ１ａ及びＳｔＢ１ａ）のグループである。
【０１０８】
（第１のグループ）
以下、順に、各グループについて説明する。まず、前記第１のグループについて説明する。
【０１０９】
（ＳｔＡ１、ＳｔＡ２）
第１のグループでは、まず、画面を全面黒、もしくは、バックライトを消灯する（ＳｔＡ１）。そして、この状態で、照度センサにより、総和照度を測定する（ＳｔＡ２）。ここで、前記照度センサからの出力値（Ｓ０）が、周囲光による照度である環境照度の値となる。
【０１１０】
（ＳｔＡ３、ＳｔＡ４）
つぎに、中間調、すなわち最大階調の半分（５０％）の画像を画面に出力する（ＳｔＡ３）。そして、この状態で、照度センサにより総和照度を測定する（ＳｔＡ４）。ここで、前記照度センサからの出力値（Ｓ５０）が、環境照度と、中間調表示時の画面照度との和になる。
【０１１１】
（ＳｔＡ５、ＳｔＡ６）
つぎに、最大階調（１００％）の画像を画面に出力する（ＳｔＡ５）。そして、この状態で、照度センサにより総和照度を測定する（ＳｔＡ６）。ここで、前記照度センサからの出力値（Ｓ１００）が、環境照度と、最大階調表示時の画面照度との和になる。
【０１１２】
なお、前記各ステップは、バックライトのインバータのデューティを一定の値に固定した状態で測定されている。
【０１１３】
以上のステップを経て得られた値をプロットしたグラフを図６（ａ）、及び、図６（ｂ）に示す。ここで、図６（ａ）、及び、図６（ｂ）は、いずれも、画像データの明るさと、照度センサの検出値との関係を示す図であり、横軸が画面の明るさを示し、縦軸が照度センサの検出値、すなわち、前記総和照度を示している。
【０１１４】
前記図６（ａ）及び図６（ｂ）に示すように、前記各ステップで求めた画像データの明るさと、照度センサの検出値とをプロットすることにより、画像データの明るさ（画像信号の階調）が変化した場合の、総和照度の変化の仕方がわかる。
【０１１５】
また、全黒画面、又は、バックライトを消灯した場合の照度センサの検出値から、周囲光による照度である環境照度の大きさがわかる。
【０１１６】
なお、図６（ａ）と図６（ｂ）とでは、周囲光による照度である環境照度の大きさが相違している。
【０１１７】
すなわち、図６（ｂ）に示す方が、図６（ａ）に示す方よりも、環境照度が高い。
【０１１８】
また、図６（ｂ）、及び、図６（ａ）に示すように、プロットする点の数を増やすことで、より正確な、画面の明るさと総和照度との関係を導くことが容易になる（図６（ａ）、及び、図６（ｂ）の、２０％、Ｓ２０参照）。
【０１１９】
なお、環境照度が相違しても、画面の明るさが変化することによる、照度の変化は同じである。すなわち、前記総和照度から環境照度を差し引いた画面照度は、画面の明るさが同じであれば、環境照度が相違していても変わらない。
【０１２０】
（第２のグループ）
つぎに、前記第２のグループについて、前記図５に基づいて、説明する。第２のグループ（図５に示すＳｔＢ参照）は、前記第１のグループで求めた、画像データの明るさと、照度センサ１２の検出値（総和照度）との関係に基づいて、随時、その時の画面データの明るさに応じて、総和照度から対応する画面照度を差し引いて、環境照度を求めることに関するステップ（ＳｔＢ１ａ、及び、ＳｔＢ１ｂ）のグループである。
【０１２１】
（ＳｔＢ１ａ、ＳｔＢ１ｂ）
前記第１のグループに属する各ステップＳｔＡは、例えばテレビ受信装置の電源を入れた当初などにおいて、周囲光による環境照度が一定であるときに行われる。
【０１２２】
これに対して第２のグループに属するステップは、通常動作時に、その時々における環境照度を求めることを目的として行われる。
【０１２３】
具体的には、まず総和照度を測定する。そして、その際に表示されていた画像の明るさ（画像データの明るさ）から、前記各ステップＳｔＡで求めた、画像データの明るさと画面照度との相関に基づいて、前記総和照度を測定した際の画面照度を求める。
【０１２４】
そして、前記総和照度から前記画面照度を引くことにより、その時々における環境照度を求める。
【０１２５】
前記図５に示したＳｔＢ１ａとＳｔＢ１ｂとは、総和照度を測定したときの画像データの明るさが異なっている２個のケースを例示したものである。
【０１２６】
すなわち、ＳｔＢ１ａは画像データの明るさが中間調である場合を示し、ＳｔＢ１ｂは画像データの明るさが最大階調である場合を示している。
【０１２７】
そして、総和照度（Ｓ）から、画面照度（ＳｔＢ１ａにおける（Ｓ５０−Ｓ０）、ＳｔＢ１ｂにおける（Ｓ１００−Ｓ０））を差し引くことで、補正値としての環境照度（Ｓｒｅａｌ）を求めている。
【０１２８】
以上のようにして求めた環境照度に基づいて画面輝度を調節することで、画面照度の影響を受けない画面輝度の調節が可能になる。
【０１２９】
そのため、画面輝度が、必要以上に暗くなることなどを抑制することができる。
【０１３０】
具体的には、例えば映画などを見る際には、部屋の照明を落とし（その際、周囲光（Ａ）＜反射光（Ｃ）になる場合が多い）、画面を見やすくしてみる場合がある。その際、反射光（Ｃ）のみの影響が非常に大きくなる。ほとんど、反射光（Ｃ）の影響のみとなる場合もある。すると、画面に暗い画像（映像）が流れると、反射光（Ｃ）も小さくなり、よりバックライトが暗くなるように調節される。その結果、暗い映像がさらに暗くなり、映像が非常に見づらくなる（前記図４参照）。
【０１３１】
また、映像が非常に見づらくなると、照度センサをオフにしたりする場合が多い。
【０１３２】
この点、本実施の形態のテレビ受信装置では、表示明るさ（画像データの明るさ）と、照度センサ出力の補正値とを連動させている。そのため、画面輝度の調節における画面照度の影響を抑制し、環境照度に応じた画面輝度の調節をすることができるので、適切な画面輝度の調節を行うことができる。
【０１３３】
なお、前記画像データの明るさは、以上のように映像データ（画像信号の階調）を解析することなどにより求めることができる。他の方法としては、例えば、映像の明るさに比例した電流値をしめすＣ基板（消費）電流に基づいて求めることもできる。
【０１３４】
〔実施の形態３〕
つぎに、本発明の第３の実施の形態について図に基づいて説明すれば、以下の通りである。なお、本実施の形態において説明すること以外の構成は、前記各実施の形態と同じである。また、説明の便宜上、前記の各実施の形態の図面に示した部材と同じ機能を有する部材については、同じ符号を付し、その説明を省略する。
【０１３５】
前記実施の形態２では、画面の明るさとして、画像信号の階調すなわち画像データの明るさを用いた。これに対して本実施の形態では、画面の明るさとして、バックライトのインバータのＰＷＭのデューティを用いている。
【０１３６】
ここで、前記ＰＷＭ（Ｐｕｌｓｅ  Ｗｉｄｔｈ  Ｍｏｄｕｌａｔｉｏｎ：パルス幅変調）とは、パルス信号を出力しておく時間（パルス幅）を長くしたり、短くしたりして、電流や電圧を制御する方式のことである。具体的には、例えば、ＰＷＭのパルス形状を示す図である図９に示す、（Ｙ）／（Ｘ）×１００（％）がデューティとなる。
【０１３７】
なお、本説明は、バックライトの光源として冷陰極間（ＣＣＦＬ）を前提としているが、光源の種類は限定されない。例えば、光源がＬＥＤである場合には、ＬＥＤの駆動するＰＷＭのデューティ、インバータの電流、又は、ＬＥＤの電流を変化させることにより、前記ＰＷＭを変化させることと同様に、バックライトの輝度を変えることができる。
【０１３８】
以下、具体的な画面輝度の調節方法について説明する。
【０１３９】
（画面輝度の調節フロー）
本実施の形態のテレビ受信装置１では、以下に、図７に基づいて説明するフローに基づいて、画面輝度を適切に調節することが可能である。ここで図７は、画面輝度の調節の方法を示すフロー図である。
【０１４０】
前記図７に示すように、前記フローに含まれるステップ（Ｓｔ）は、前記実施の形態２と同様に、大きく２個のグループに分けることができる。
【０１４１】
すなわち、第１のグループ（図７に示すＳｔＣ参照）は、インバータのＰＷＭのデューティが変化したときに照度センサ１２の検出値（総和照度）を測定して、自光（画面光）に起因する画面照度と総和照度との関係を求めることに関するステップ（ＳｔＣ１からＳｔＣ６）のグループである。
【０１４２】
そして、第２のグループ（図７に示すＳｔＤ参照）は、前記第１のグループで求めた、画面の明るさ（インバータのＰＷＭのデューティ）と、照度センサ１２の検出値（総和照度）との関係に基づいて、随時、その時の画面の明るさに応じて、総和照度から対応する画面照度を差し引いて、環境照度を求めることに関するステップ（ＳｔＤ１ａ及びＳｔＤ１ｂ）のグループである。
【０１４３】
（第１のグループ）
以下、順に、各グループについて説明する。まず、前記第１のグループについて説明する。
【０１４４】
（ＳｔＣ１、ＳｔＣ２）
第１のグループでは、まず、画面を全面黒、もしくは、バックライトを消灯する（ＳｔＣ１）。そして、この状態で、照度センサにより、総和照度を測定する（ＳｔＣ２）。ここで、前記照度センサからの出力値（Ｓ０）が、周囲光による照度である環境照度の値となる。
【０１４５】
（ＳｔＣ３、ＳｔＣ４）
つぎに、バックライトを点灯させる。その際、バックライトのＰＷＭのデューティ（Ｄｕｔｙ）を５０％にする（ＳｔＣ３）。そして、この状態で、照度センサにより総和照度を測定する（ＳｔＣ４）。ここで、前記照度センサからの出力値（Ｓ５０）が、環境照度と、ＰＷＭのデューティが５０％のときの画面照度との和になる。
【０１４６】
（ＳｔＣ５、ＳｔＣ６）
つぎに、バックライトのＰＷＭのデューティを１００％にする（ＳｔＣ５）。そして、この状態で、照度センサにより総和照度を測定する（ＳｔＣ６）。ここで、前記照度センサからの出力値（Ｓ１００）が、環境照度と、デューティ＝１００％時の画面照度との和になる。
【０１４７】
なお、前記各ステップは、画像データの明るさを一定の値に固定した状態で測定されている。
【０１４８】
以上のステップを経て得られた値をプロットしたグラフを図８（ａ）、及び、図８（ｂ）に示す。ここで、図８（ａ）、及び、図８（ｂ）は、いずれも、画面の明るさ（インバータのＰＷＭのデューティ）と、照度センサの検出値との関係を示す図であり、横軸が画面の明るさを示し、縦軸が照度センサの検出値、すなわち、前記総和照度を示している。
【０１４９】
前記図８（ａ）及び図８（ｂ）に示すように、前記各ステップで求めた前記デューティと、照度センサの検出値とをプロットすることにより、画面の明るさ（インバータのＰＷＭのデューティ）が変化した場合の、総和照度の変化の仕方がわかる。
【０１５０】
また、全黒画面、又は、バックライトを消灯した場合の照度センサの検出値から、周囲光による照度である環境照度の大きさがわかる。
【０１５１】
なお、図８（ａ）と図８（ｂ）とでは、周囲光による照度である環境照度の大きさが相違している。
【０１５２】
すなわち、図８（ｂ）に示す方が、図８（ａ）に示す方よりも、環境照度が高い。
【０１５３】
また、図８（ｂ）、及び、図８（ａ）に示すように、プロットする点の数を増やすことで、より正確な、画面の明るさと総和照度との関係を導くことが容易になる（図８（ａ）、及び、図８（ｂ）の、２０％、Ｓ２０参照）。
【０１５４】
なお、環境照度が相違しても、画面の明るさが変化することによる、照度の変化は同じである。すなわち、前記総和照度から環境照度を差し引いた画面照度は、画面の明るさが同じであれば、環境照度が相違していても変わらない。
【０１５５】
（第２のグループ）
つぎに、前記第２のグループについて、前記図７に基づいて、説明する。第２のグループ（図７に示すＳｔＤ参照）は、前記第１のグループで求めた、画面の明るさ（インバータのＰＷＭのデューティ）と、照度センサ１２の検出値（総和照度）との関係に基づいて、随時、その時のインバータのＰＷＭのデューティに応じて、総和照度から対応する画面照度を差し引いて、環境照度を求めることに関するステップ（ＳｔＤ１ａ、及び、ＳｔＤ１ｂ）のグループである。
【０１５６】
（ＳｔＤ１ａ、ＳｔＤ１ｂ）
前記第１のグループに属する各ステップＳｔＣは、例えばテレビ受信装置の電源を入れた当初などにおいて、周囲光による環境照度が一定であるときに行われる。
【０１５７】
これに対して第２のグループに属するステップは、通常動作時に、その時々における環境照度を求めることを目的として行われる。
【０１５８】
具体的には、まず総和照度を測定する。そして、その際に画面の明るさ（インバータのＰＷＭのデューティ）から、前記各ステップＳｔＣで求めた、前記デューティと画面照度との相関に基づいて、前記総和照度を測定した際の画面照度を求める。
【０１５９】
そして、前記総和照度から前記画面照度を引くことにより、その時々における環境照度を求める。
【０１６０】
前記図７に示したＳｔＤ１ａとＳｔＤ１ｂとは、総和照度を測定したときのインバータのＰＷＭのデューティが異なっている２個のケースを例示したものである。
【０１６１】
すなわち、ＳｔＤａは前記デューティが５０％である場合を示し、ＳｔＤ１ｂは前記デューティが１００％である場合を示している。
【０１６２】
そして、総和照度（Ｓ）から、画面照度（ＳｔＤ１ａにおける（Ｓ５０−Ｓ０）、ＳｔＤ１ｂにおける（Ｓ１００−Ｓ０））を差し引くことで、補正値としての環境照度（Ｓｒｅａｌ）を求めている。
【０１６３】
以上のようにして求めた環境照度に基づいて画面輝度を調節することで、画面照度の影響を受けない画面輝度の調節が可能になる。
【０１６４】
具体的には、例えば周囲光（Ａ）が小さくなるときに生じやすい、バックライトの明るさが必要以上に暗くなるというサイクルに陥りにくくなる。
【０１６５】
すなわち、周囲光（Ａ）が暗くなると照度センサの検出値が小さくなる。すると、バックライトが暗くなり、照度センサの検出値が小さくなる。するとさらにバックライトが暗くなるというサイクルが生じやすい。この点、本実施の形態のテレビ受信装置では、インバータのＰＷＭのデューティと、照度センサ出力の補正値である環境照度とが連動されている。すなわち、総和照度ではなく、画面照度の影響が取り除かれた環境照度のみに連動して、画面輝度の調節が行われる。そのため、前記バックライトの明るさが必要以上に暗くなるというサイクルが生じにくい。
【０１６６】
〔実施の形態４〕
つぎに、本発明の第４の実施の形態について図に基づいて説明すれば、以下の通りである。なお、本実施の形態において説明すること以外の構成は、前記各実施の形態と同じである。また、説明の便宜上、前記の各実施の形態の図面に示した部材と同じ機能を有する部材については、同じ符号を付し、その説明を省略する。
【０１６７】
前記実施の形態２では、画面の明るさとして、画像信号の階調すなわち画像データの明るさを用いた。また、前記実施の形態３では、画面の明るさとして、インバータのＰＷＭのデューティを用いた。
【０１６８】
これに対して本実施の形態では、画面の明るさとして、バックライトのインバータのＰＷＭのデューティを用いるとともに、画像データの明るさをも考慮している。
【０１６９】
（画面輝度の調節フロー）
本実施の形態のテレビ受信装置１では、以下に、図１０に基づいて説明するフローに基づいて、画面輝度を適切に調節することが可能である。ここで図１０は、画面輝度の調節の方法を示すフロー図である。
【０１７０】
前記図１０に示すように、前記フローに含まれるステップ（Ｓｔ）は、前記実施の形態２、及び、実施の形態３と同様に、大きく２個のグループに分けることができる。
【０１７１】
すなわち、第１のグループ（図１０に示すＳｔＥ参照）は、インバータのＰＷＭのデューティ、及び、画像データの明るさが変化したときに照度センサ１２の検出値（総和照度）を測定して、自光（画面光）に起因する画面照度と総和照度との関係を求めることに関するステップ（ＳｔＣ１からＳｔＣ６）のグループである。
【０１７２】
そして、第２のグループ（図１０に示すＳｔＦ参照）は、前記第１のグループで求めた、画面の明るさ（インバータのＰＷＭのデューティ、画像データの明るさ）と、照度センサ１２の検出値（総和照度）との関係に基づいて、随時、その時の画面の明るさに応じて、総和照度から対応する画面照度を差し引いて、環境照度を求めることに関するステップ（ＳｔＦ１）のグループである。
【０１７３】
（第１のグループ）
以下、順に、各グループについて説明する。まず、前記第１のグループについて説明する。
【０１７４】
（ＳｔＥ１、ＳｔＥ２）
第１のグループでは、まず、画面を全面黒、もしくは、バックライトを消灯する（ＳｔＥ１）。そして、この状態で、照度センサにより、総和照度を測定する（ＳｔＥ２）。ここで、前記照度センサからの出力値（Ｓ（０、０））が、周囲光による照度である環境照度の値となる。ここで、前記Ｓ（０、０）との表記は、Ｓ（ＰＷＭのデューティ、画像データの明るさ）、すなわち、ＰＷＭのデューティ＝０及び画像データの明るさ＝０のときの前記出力値を示している。
【０１７５】
（ＳｔＥ３、ＳｔＥ４）
つぎに、バックライトを点灯させると共に、画像を表示する。その際、バックライトのＰＷＭのデューティ（Ｄｕｔｙ）を５０％にし、中間調（最大階調の半分）、すなわち画像データの明るさが５０％の画像を画面に出力する（ＳｔＥ３）。
【０１７６】
そして、この状態で、照度センサにより総和照度を測定する（ＳｔＥ４）。ここで、前記照度センサからの出力値（Ｓ（５０、５０））が、環境照度と、ＰＷＭのデューティが５０％で画像データの明るさが５０％のときの画面照度との和になる。
【０１７７】
（ＳｔＥ５、ＳｔＥ６）
つぎに、バックライトのＰＷＭのデューティを１００％にし、最大階調、すなわち画像データの明るさが１００％の画像を画面に出力する（ＳｔＥ５）。
【０１７８】
そして、この状態で、照度センサにより総和照度を測定する（ＳｔＥ６）。ここで、前記照度センサからの出力値（Ｓ１００）が、環境照度と、ＰＷＭのデューティが１００％で画像データの明るさが１００％のときの画面照度との和になる。
【０１７９】
以上のステップを経て得られた値（前記に例示したＰＷＭのデューティと画像データの明るさとの組み合わせ以外の値も含む）をプロットしたグラフを図１１に示す。ここで、図１１は、画面の明るさ（インバータのＰＷＭのデューティ）と、照度センサの検出値との関係を示す図ある。そして、横軸が画面の明るさ（インバータのＰＷＭのデューティ）を示し、縦軸が照度センサの検出値、すなわち、前記総和照度を示している。
【０１８０】
また、図１１の中の（ｉ）は、画像が中間調である場合を示し、（ｉｉ）は、画像が最大階調である場合を示している。
【０１８１】
前記図１１に示すように、前記各ステップで求めた前記デューティと、照度センサの検出値とをプロットすることにより、画面の明るさ（インバータのＰＷＭのデューティ）が変化した場合の、総和照度の変化の仕方がわかる。
【０１８２】
また、全黒画面、又は、バックライトを消灯した場合の照度センサの検出値から、周囲光による照度である環境照度の大きさがわかる。
【０１８３】
また、種々の階調の画像、すなわち種々の画像データの明るさについて、画面の明るさ（インバータのＰＷＭのデューティ）と総和照度との関係をプロットすることで（図１１では、階調５０％と１００％との２種類をプロット）、テレビ受信装置の通常動作時において、インバータのＰＷＭのデューティと画像の階調すなわち画像データの明るさとの両方が変化した場合においても、正確に環境照度を求めることができる。
【０１８４】
（第２のグループ）
つぎに、前記第２のグループについて、前記図１０に基づいて、説明する。第２のグループ（図１０に示すＳｔＦ参照）は、前記第１のグループで求めた、画面の明るさ（インバータのＰＷＭのデューティ）と、照度センサ１２の検出値（総和照度）との関係に基づいて、随時、その時のインバータのＰＷＭのデューティに応じて、総和照度から対応する画面照度を差し引いて、環境照度を求めることに関するステップ（ＳｔＦ１）のグループである。
【０１８５】
詳しくは、前記図１１に例示したように、種々の階調について前記の関係を予め（事前に）求めておくことで、より正確に環境照度を求めることができる。すなわち、前記第１のグループで測定した画像データの明るさの変化と、インバータのＰＷＭのデューティに応じた照度センサの検出値を、随時、画像データの明るさ、インバータのＰＷＭのデューティに応じて、前記照度センサの検出値から差し引く。
【０１８６】
（ＳｔＦ１）
具体的には、例えば、照度センサで総和照度を検出した際、インバータのＰＷＭのデューティが５０％であり、画像データの明るさが２０％である場合には、前記第１のグループで求めた、ＰＷＭのデューティ・画像データの明るさと画面照度との関係から、補正値としての環境照度を求める。
【０１８７】
すなわち、総和照度（Ｓ）から、インバータのＰＷＭのデューティが５０％であり、画像データの明るさが２０％であるときの画面照度（Ｓ（５０、２０）−Ｓ０）を差し引く。これにより、前記環境照度Ｓｒｅａｌが求められる。
【０１８８】
なお、例えば前記実施の形態３や実施の形態４に示したように、画面輝度の調節にあたり、インバータのＰＷＭのデューティなど、バックライトの輝度に関する情報が用いられる場合などには、前記情報がバックライト輝度を示す信号（Ｄ１２）としてメモリ１４に入力される（前記図１参照）。
【０１８９】
本発明は前記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１９０】
画面の輝度が適切に調節されるので、例えば周囲の明るさが変化しやすい環境下で用いられる表示装置に好適に利用可能である。
【図面の簡単な説明】
【０１９１】
【図１】本発明の実施の形態を示すものであり、テレビ受信装置の概略構成を示す図である。
【図２】画像データの明るさと、照度センサの検出値との関係を示す図である。
【図３】画像データの明るさと、照度センサの検出値との関係を示す図である。
【図４】テレビ受信装置が設置されている状況を示す図である。
【図５】本発明の実施の形態を示すものであり、画面輝度の調節におけるフローを示す図である。
【図６】本発明の他の実施の形態を示すものであり、（ａ）及び（ｂ）は、いずれも画面の明るさと、照度センサの検出値との関係を示す図である。
【図７】本発明の他の実施の形態を示すものであり、画面輝度の調節におけるフローを示す図である。
【図８】本発明の他の実施の形態を示すものであり、（ａ）及び（ｂ）は、いずれも画面の明るさと、照度センサの検出値との関係を示す図である。
【図９】ＰＷＭのパルス形状を示す図である。
【図１０】本発明の他の実施の形態を示すものであり、画面輝度の調節におけるフローを示す図である。
【図１１】本発明の他の実施の形態を示すものであり、画面の明るさと、照度センサの検出値との関係を示す図である。
【符号の説明】
【０１９２】
１    テレビ受信装置
５    液晶表示装置  （表示装置）
７    バックライト
１０    画面
１２    照度センサ
２６    画面輝度調節部
【図１】
2010113301.tif 000003
【図２】
2010113301.tif 000004
【図３】
2010113301.tif 000005
【図４】
2010113301.tif 000006
【図５】
2010113301.tif 000007
【図６】
2010113301.tif 000008
【図７】
2010113301.tif 000009
【図８】
2010113301.tif 000010
【図９】
2010113301.tif 000011
【図１０】
2010113301.tif 000012
【図１１】
2010113301.tif 000013